Podtech/llm-jp-corpus-v4-ja_patent huggingface dataset:
(57)【要約】【課題】性交渉に及ぶ際のコンドーム不所持を防止、コンドームを装着しないで性交渉を行うことにより起こりうる性感染症やＨＩＶ、不用意な妊娠の予防をするために、コンドームを身近に所持するスペースが必要である。【解決手段】ボクサーパンツの表裏、前後左右にコンドームが入りすぐに取り出せるくらいのポケットを付ける。【選択図】図２
0003123271.tif 000002
【実用新案登録請求の範囲】
【請求項１】
下着のボクサーパンツにポケットを付け、その中にコンドームを入れることが出来るようになっている。
【考案の詳細な説明】
【技術分野】
【０００１】本考案はボクサーパンツにコンドームを入れるポケットを設けた下着に関するものである。
【背景技術】
【０００２】従来のボクサーパンツであると、コンドームを所持するポケットが付いているものはない。
【考案の開示】
【考案が解決しようとする課題】
【０００３】性交渉に及ぶ際のコンドーム不所持を防止、コンドームを装着しないで性交渉を行うことにより起こりうる性感染症やＨＩＶ、不用意な妊娠の予防をするために、コンドームを身近に所持するスペースが必要である。
【課題を解決するための手段】
【０００４】そのために、ボクサーパンツの表裏、前後左右にコンドームが入り取り出しやすいくらいの大きさのポケットを付ける。
【考案の効果】
【０００５】前記構成において、ボクサーパンツとは、形状がトランクスとブリーフの中間的なもので、体にフィットするパンツのことであり、これにコンドーム収納用のポケットを設けることにより、すぐに取り出して使用することができる。
性交渉に及ぶ際のコンドーム不所持を防止し、コンドームを装着しないで性交渉を行うことにより起こりうる性感染症やＨＩＶ、不用意な妊娠の予防をすることができる。
【考案を実施するための最良の形態】
【０００６】ボクサーパンツの表裏、前後左右にコンドームが入りすぐに取り出せるくらいのポケットを付ける。
コンドームが入り、かつ取り出しやすいという事を考慮したうえである。
【実施例】
【０００７】以下、図面に基づいて本考案を説明する。
図１においてボクサーパンツ１の素材として綿生地や化学繊維・パイル地等あらゆる物を用い、ポケット部２も綿生地や化学繊維パイル地等を用いる。
また、ポケット部２は、円形、三角形、四角形、五角形などあらゆるポケットとして物が入る相応しい形を設ける。
【図面の簡単な説明】
【０００８】
【図１】ポケットのついたボクサーパンツの前部である。
【図２】ポケットのついたボクサーパンツの後部である。
【符号の説明】
【０００９】  １  ボクサーパンツ本体
２  ポケット
【図１】
0003123271.tif 000003
【図２】
0003123271.tif 000004
【手続補正書】
【提出日】平成18年3月30日(2006.3.30)
【手続補正１】
【補正対象書類名】実用新案登録請求の範囲
【補正対象項目名】全文
【補正方法】変更
【補正の内容】
【実用新案登録請求の範囲】
【請求項１】
コンドームを入れることが可能なポケットを有する下着のボクサーパンツ。
(57)【要約】【課題】鉢底に容易に敷設でき、園芸作物の根張りの促進、排水性・通気性・保水性を改善させ、鉢底石の上に敷くだけで再使用時に土と鉢底石の分離を容易にすることを課題とする園芸用鉢底マットを提供する。【解決手段】自然環境に優しい天然のココヤシ繊維素材にバインダーを所要量混合し、マット状に加工することで、鉢底に敷設するだけで排水性・通気性・保水性を改善し、鉢底の形に合わせて作ることで、鉢底石の上に敷設しやすく、再使用時に土と鉢底石の分離を容易にすることを特徴とする。【選択図】図２
0003123275.tif 000002
【実用新案登録請求の範囲】
【請求項１】
植木鉢やプランターなどの容器に植物を栽培するとき、容器４の底、又は鉢底石３の上に敷設する園芸用ココヤシ製鉢底マット。
【考案の詳細な説明】
【技術分野】
【０００１】  この考案は、園芸用鉢底マットに関する。
【背景技術】
【０００２】  従来は植木鉢等で植物を栽培するとき、鉢土の排水性を改善する為に、園芸用鉢底石・鉢底炭を入れるものである。
【考案の開示】
【考案が解決しようとする課題】
【０００３】しかしながら、以上の技術によれば、植木鉢等で植物を栽培するとき、排水性・通気性を維持するために鉢底石の量が多く必要であり、再使用時に土と鉢底石を分離することが困難である。
そこで、この考案は、天然ココヤシ繊維素材を用いたマットを鉢底に敷設する事で、排水性・通気性・保水性を改善する事が出来、又鉢底石の上に敷設する事で、土が鉢底石と混ざることを防ぎ、鉢底石の持つ排水性・通気性を維持するので鉢底石の量が少なくて済み、再使用時に土と鉢底石の分離を容易にすることを提供することを課題とする。
【課題を解決するための手段】
【０００４】  以上の課題を解決するために、第一考案は、天然のココヤシ繊維を素材に用いることで、排水性・通気性・保水性を改善し、園芸作物の根張りを促進させることを特徴とする園芸用ココヤシ製鉢底マット本体１である。
また、第二考案は、鉢底のサイズに合わせた形に作り鉢底石３と土５の間に敷設することで、土５と鉢底石３が混ざることを防ぎ、鉢底石３の持つ排水性・通気性が維持され、又再使用時に土５と鉢底石３の分離を容易にすることを特徴とする園芸用ココヤシ製鉢底マット本体１である。
【考案の効果】
【０００５】  第一考案、又は第二考案によれば、鉢底のサイズに合わせた形の鉢底マットに自然環境に優しい天然のココヤシ繊維素材を用いることで、容易に鉢底に敷設でき、排水性・通気性・保水性を改善し、園芸作物の根張りを促進させ、再使用時に土５と鉢底石３の分離を容易にする。
【考案を実施するための最良の形態】
【０００６】  この考案の一実施形態を、図１に示す。
鉢底マットの本体１はココヤシ製であり、この本体１には厚み２がある。【０００７】「実施形態の効果」
この実施形態によれば、容易に敷設でき、自然環境に優しい天然のココヤシ製鉢底マットの本体１を敷くことで、排水性・通気性を維持し、厚み２により保水性も改善され、園芸植物の根張りを促進させる。又土５と鉢底石３の間に敷設する事で、土５と鉢底石３が混ざることを防ぎ、鉢底石３が持つ排水性・通気性が維持され、再使用時に土５と鉢底石３の分離を容易にする。【０００８】「他の実施形態」
図１の実施形態では、ココヤシ製鉢底マット本体１は丸型であったが、他の実施形態では、ココヤシ製鉢底マットの本体１は角型、楕円型その他様々な形状でも良く、排水孔を設けたものでも良い。
【図面の簡単な説明】
【０００９】
【図１】本考案のココヤシ製鉢底マットを示す斜視図である。
【図２】本考案の使用状態を示す断面図である。
【符号の説明】
【００１０】    １  ココヤシ製鉢底マット本体      ２  厚み
３  鉢底石      ４  鉢      ５  土
【図１】
0003123275.tif 000003
【図２】
0003123275.tif 000004
【手続補正書】
【提出日】平成18年4月10日(2006.4.10)
【手続補正１】
【補正対象書類名】実用新案登録請求の範囲
【補正対象項目名】全文
【補正方法】変更
【補正の内容】
【実用新案登録請求の範囲】
【請求項１】
ココヤシ繊維素材に、適当な厚みを持たせてマット状に加工し、鉢底に合わせた形状を形成した園芸用ココヤシ製鉢底マット
(57)【要約】【課題】加工製品の質を高め、ドリルの仕様寿命を長くすることができる精度差を補うことが可能なドリルの構造を提供する。【解決手段】ドリルの柄の下方に刃の部分があって、その刃の部分は刃の部分の底部を基準としていて、下から上に徐々に大きくなる円錐の径を持つ円錐形をしている。刃の部分の外径が徐々に大きくなる円錐の径を持つことで、その刃の部分の硬度が高くなり、切削の際に抵抗によって発生する湾曲や傾斜を起こさないようにする効果がある。数枚の基板の上板と下板と、すでに加工済みの板面とのサイズの差を少なくすることができる。【選択図】図４
0003123233.tif 000002
【実用新案登録請求の範囲】
【請求項１】
ドリルの柄の部分の下方に刃の部分があって、その刃の部分がその底部の直径を基準として、上に向かって円錐の径が徐々に大きくなるという特長をを持つ、精度差を補うことが可能なドリルの構造。
【考案の詳細な説明】
【技術分野】
【０００１】
本考案は回路板のドリル加工に用いるドリル構造に関する。本考案のドリル構造は、ドリル部分の径を徐々に大きくすることにより、ドリルの硬性を強くすると同時に、ドリル加工時の回路基板の上下板のサイズの精度差を補う効果がある。
【背景技術】
【０００２】
現在、各種プリント基板（PCB:Printed Circuie
Board）の機械加工において、多くの穴や溝穴を開けたり、外形上の加工を施すことが多くなっている。これらの加工はたいていドリルやミリング・カッターによって行われる。そのうち、穴あけや外形加工作業にはドリル加工によって行われる。図１を参照いただきたい。従来のドリル２は、ドリルの柄の部分２１下方にドリルの刃の部分２２がある。この刃の２２の外径のサイズは、全て同じの円柱形をしている。加工時には、旋盤フライス加工方式で、数枚の回路基板３０にみぞ穴４０を切削加工する。切削加工時には、数枚の基板３０が重ねられて同時に加工が行われる。このため、重ねられた基板３０の厚みに対応するため、刃の部分２２は一定の長さを必要とする。
しかしながら、刃の部分２２は、その材料、直径、長さ等の原因により、切削の過程において加工の際の抵抗で変形してしまう。このため、数枚の基板３０の上板３０１と下板３０２で、成型済みのサイズに精度の差が生じてしまう。図２を参照いただきたい。ここで示した精度差ｄ２は、一旦許容範囲を超えてしまうと、基板の品質に大きな影響を及ぼすことになる。
さらに、ドリル２が作業時の抵抗により変形した場合、続けて加工する場合、刃の部分２２の傾斜角度がさらに大きくなって、基板の成型サイズの精確さに影響するため、ドリル２は度々交換して品質に維持に努める必要がある。これはドリル２の使用寿命が短いことをも意味する。
【考案の開示】
【考案が解決しようとする課題】
【０００３】
本考案は、上記従来の問題点を解決することを課題とする。
【課題を解決するための手段】
【０００４】
本考案の精度差を補うことが可能なドリルの構造は、ドリルの柄の下方に刃の部分があって、その刃の部分は刃の部分の底部を基準としていて、下から上に徐々に大きくなる円錐の径を持つ円錐形をしている。刃の部分の外径が徐々に大きくなる円錐の径を持つことで、その刃の部分の硬度が高くなり、切削の際に抵抗によって発生する湾曲や傾斜を起こさないようにする効果がある。数枚の基板の上板と下板と、すでに加工済みの板面とのサイズの差を少なくすることができるため、加工製品の質を高め、ドリルの仕様寿命を長くするという効果もある。
【考案の効果】
【０００５】
本考案の精度差を補うことが可能なドリルの構造は、穴の成型加工時に傾斜が生じる状況を改善して加工の精度を高めることが可能であるという特長を持つ。ドリルの材質、刃の部分の直径及び長さ等の原因で発生する基板のサイズの精度の良し悪しは、刃の部分の円錐角度によって決まり、加工の際に作業時の抵抗によって変形し、精度が落ちる。本考案のドリル構造は、刃の底部を基準とし、上に向かって徐々に円錐の径が大きくなっていくので、成型後サイズが一致し、誤差を小さくするという効果がある。
また、本考案の精度差を補うことが可能なドリルの構造は、その刃の部分が底部を基準として、上に向かって徐々に径が大きくなっているため、刃の部分の硬度を高め、加工時に変形して出来上がりに影響を及ぼすことが少なくなり、結果としてドリルの使用寿命が長くなるという効果がある。
【考案を実施するための最良の形態】
【０００６】
図３及び図４を参照いただきたい。本考案の精度差を補うことが可能なドリルの構造は、ドリル１が柄の部分１１と刃の部分１２からなる。刃の部分１２は、数枚に重ねられる基板１０の厚みと切削されるサイズによって、ドリル１の規格が異なる。ドリル１の刃の部分１２には、徐々に大きくなる円錐の径１３を持つ円錐形をしている。この徐々に大きくなる円錐の径１３によって形成するθ角は、ドリル１の規格によって異なる。
徐々に大きくなる円錐の径１３を持つドリル１は、数枚重ねられた基板１０に対して、加工済みの板面２０を切削加工を施す際、刃の部分１２の硬度が高くなっているため、作業時の抵抗によって傾斜しにくくなっている。これに相応して刃の部分１２が傾斜することも少なくなり、基板１０の上板１０１及び下板１０２のすでに加工済みの板２０とのサイズの差を少なくする効果がある。したがって、加工製品の品質を高めると同時に、ドリル１の使用寿命も長くなる。
上述の、刃の部分１２の徐々に大きくなる円錐の径１３の効果により、従来の円錐の径の差がないものより、その硬度は高くなっている上、平均使用寿命も長くなる。切削後の外形サイズに対しても、上下の板のすでに加工済みの板面との精度の差ｄ１も明らかに小さくなり、加工製品の品質も高くなっている。
【図面の簡単な説明】
【０００７】
【図１】従来のドリルの平面外観図である。
【図２】従来のドリルを用いて加工成型した場合の加工板面の見取り図である。
【図３】本考案のドリルの平面外観図である。
【図４】本考案のドリルを用いて加工成型した成型完了後の加工板面の見取り図である。
【符号の説明】
【０００８】
１          ドリル
１１        ドリルの柄
１２        ドリルの刃の部分
１３        徐々に大きくなる円錐の径
２          ドリル
２１        ドリルの柄
２２        ドリルの刃の部分
１０        基板
１０１      上板
１０２      下板
２０        すでに加工済みの板面
ｄ１        精度差
ｄ２        精度差  
【図１】
0003123233.tif 000003
【図２】
0003123233.tif 000004
【図３】
0003123233.tif 000005
【図４】
0003123233.tif 000006
(57)【要約】【課題】基礎加工を省略でき、太陽発電システムの全体の実用性や便利性が大幅に向上される太陽追跡器のベース装置を提供する。【解決手段】枠体と係合部とが含有され、枠体は支持部があり、支持部は複数の湾曲スタンドが結合されることにより構成され、構造強度を提供して負荷を支持し、当該係合部は枠体に結合され、これにより、太陽追跡器機構と太陽電池モジュールとが安定的に改良ベースに実装され、そして、移動に非常に便利である。本考案は、基礎加工して太陽追跡器をセットアップする従来の支柱構造の代わりに利用できる。【選択図】図２
0003123232.tif 000002
【実用新案登録請求の範囲】
【請求項１】
複数の湾曲スタンドが結合されることにより構成される支持部があり、可動的にセットアップされて安定的に支持できる枠体と、
枠体に結合される係合部と、
が含有され、
太陽追跡器機構や太陽電池モジュールが実装される、
ことを特徴とする太陽追跡器のベース装置。
【請求項２】
当該支持部は、複数の湾曲スタンドに、少なくとも一つの環状パイプが結合されることを特徴とする請求項１に記載の太陽追跡器のベース装置。
【請求項３】
当該係合部は、枠体に貫通して結合されることを特徴とする請求項１に記載の太陽追跡器のベース装置。
【請求項４】
当該係合部は、枠体の上方に固定設置されることを特徴とする請求項１に記載の太陽追跡器のベース装置。
【考案の詳細な説明】
【技術分野】
【０００１】
本考案は、太陽追跡器のベース装置に関し、特に、複数の湾曲スタンドの枠体と係合部との組立て設計により、実装が簡単且つ快速で、また、安定的に位置付けられ、そして、移動に非常に便利である効果が得られ、基礎加工が必要とする従来の支柱構造設計の代わりに、様々の太陽追跡器やそれに類似する機構に適用できる。
【背景技術】
【０００２】
従来の太陽追跡器ベースは、主として、支柱１があり（図１を参照しながら）、中空厚壁管状である当該支柱１は、基礎２に固定設置され、その上方に、太陽追跡器と太陽電池モジュール３の下方に結合される固定スリーブ４が挿入されて固定される。当該太陽追跡器ベースは、各種類の太陽追跡器や太陽電池モジュール３を支持固定できるが、当該太陽追跡器ベース支柱１は、基礎２に固定されるため、所定の位置しか利用できず、また、支柱１を基礎２に固定設置するには、時間が掛かるし、そして、基礎２のための場所や経費も掛かるから、実用的なものではない。
【考案の開示】
【考案が解決しようとする課題】
【０００３】
本考案の主な目的は、複数の湾曲スタンドから構成される支持部の枠体と係合部との設計により、簡単にセットアップでき、移動に非常に便利で、全体の構造強度が向上される効果が得られ、基礎加工を省略でき、太陽発電システム全体の実用性と便利性が大幅に向上される太陽追跡器のベース装置を提供する
【課題を解決するための手段】
【０００４】
請求項１の考案は、複数の湾曲スタンドが結合されることにより構成される支持部があり、可動的にセットアップされて安定的に支持できる枠体と、枠体に結合される係合部と、が含有され、太陽追跡器機構や太陽電池モジュールが実装される、ことを特徴とする太陽追跡器のベース装置である。
【０００５】
請求項２の考案は、当該支持部の複数の湾曲スタンドに、少なくとも一つの環状パイプが結合されることを特徴とする請求項１に記載の太陽追跡器のベース装置である。
請求項３の考案は、当該係合部が、枠体に貫通して結合されることを特徴とする請求項１に記載の太陽追跡器のベース装置である。
【０００６】
請求項４の考案は、当該係合部が、枠体の上方に固定設置されることを特徴とする請求項１に記載の太陽追跡器のベース装置である。
【考案を実施するための最良の形態】
【０００７】
本考案は、図２乃至４を参照しながら、複数の湾曲スタンド１１が結合されることにより構成されるか、複数の湾曲スタンド１１と少なくとも一つの環状パイプ１２とが結合されることにより構成される支持部があり、可動的にセットアップされて、安定的に所定の位置に位置付けられる枠体１０と、枠体１０に貫通して結合されるか、枠体１０の上方に固定設置される、太陽追跡器機構を実装するための係合部２０と、が含有される太陽追跡器のベース装置である。
【０００８】
上記の構成である太陽追跡器のベース装置は、図２乃至４のように、当該係合部２０が、枠体１０に貫通して結合されることにより、或いは、枠体１０の上方に固定設置されることにより、枠体１０と係合部２０とが安定的に結合され、太陽追跡器の実装が、より安定的になる。また、複数の湾曲スタンド１１が結合されることにより（図３のように）、或いは、複数の湾曲スタンド１１と少なくとも一つの環状パイプ１２が結合されることにより、構成される枠体１０の支持部（図２のように）には、太陽追跡器機構と太陽電池モジュールが、容易に実装され、また、枠体１０において、安定的に位置付けられ、これにより、全体構造の強度が向上され、また、移動に非常に便利であり、使用する時（図４のように）、太陽追跡器の下方に結合されるスリーブ３１に、係合部２０を挿入することだけでよく、そのため、本考案は、組立てが簡単且つ快速的であり、全体構造の強度が向上され、安定的に位置付けられ、そして、移動に非常に便利である効果が得られ、基礎加工できない場所において、従来の支柱の代わりにセットアップされることができ、太陽追跡システム全体の実用性や便利性が向上される。
【０００９】
以上の詳しく説明から、本技術を良く分かる熟練者が、本考案が前記の目的を達成できることが分かり、法に従って、実用新案登録請求を出願する。
【００１０】
以上は、ただ、本考案のより良い実施例であり、本考案は、それによって制限されず、本考案に係わる実用新案登録請求の範囲や明細書の内容に従う等価の変化や修正は、全てが、本考案に係わる実用新案登録請求の範囲に含まれる。
【図面の簡単な説明】
【００１１】
【図１】従来の実施例の使用概念図
【図２】本考案の第１の実施例の立体外観図
【図３】本考案の第２の実施例の使用状態概念図
【図４】本考案の第３の実施例の使用状態概念図
【符号の説明】
【００１２】
１          支柱
２          基礎
３          太陽追跡器と太陽電池モジュール
４          太陽追跡器固定スリーブ
１０        枠体
１１        湾曲スタンド
１２        環状パイプ
２０        係合部
３１        スリーブ
【図１】
0003123232.tif 000003
【図２】
0003123232.tif 000004
【図３】
0003123232.tif 000005
【図４】
0003123232.tif 000006
(57)【要約】【課題】  持ち運び、収納に便利であるとともに、散歩時の犬の糞処理が容易に行える糞取り具を提供する。【解決手段】  一端側を持ち手２１とするとともに全体が伸縮可能に構成される棒体２と、糞受け袋５を着脱可能に装着することが可能な袋装着体３とからなり、袋装着体３が棒体２の他端側に取り付けられてなることを特徴とする糞取り具。【選択図】図１
0003123282.tif 000002
【実用新案登録請求の範囲】
【請求項１】
一端側を持ち手とするとともに全体が伸縮可能に構成される棒体と、糞受け袋を着脱可能に装着することが可能な袋装着体とからなり、
前記袋装着体が前記棒体の他端側に取り付けられてなることを特徴とする糞取り具。
【考案の詳細な説明】
【技術分野】
【０００１】  この考案は、犬の散歩時等に用いる糞取り具に関する。
【背景技術】
【０００２】  犬の散歩中における糞の処理は、例えば、紙片で糞を包み持ち帰ることで行なっている。その際の紙片に糞を包む動作は路上にしゃがみ込んで行わなければならず、結構な手間と労力を要し、特に高齢者にとっては困難な作業となる。【０００３】  上記のように路上にしゃがみ込むことなく犬の糞の処理ができるものとして、従来より棒体の下端に糞受け容器を一体に取り付けた糞取り具が提供されている。このものによれば、脱糞の際に飼い主が立ったまま糞を受けるように容器を差し出すことで路上にしゃがみ込むことなく犬の糞の処理が行える。しかしながら、現状のものでは下記のような問題があった。
【考案の開示】
【考案が解決しようとする課題】
【０００４】  すなわち、棒体が長尺で全体としてかさ高いので、持ち運びが困難であって散歩時において糞処理をする時以外は邪魔になり、また、その収納スペースが大きくなる問題があった。さらに、糞を持ち帰ったあとの糞受け容器から糞の取り出し処理、糞受け容器の清掃等に手間がかかる問題があった。【０００５】  この考案は、持ち運び、収納に便利であるとともに、散歩時の犬の糞処理が容易に行える糞取り具を提供することを目的とする。
【課題を解決するための手段】
【０００６】  この考案では、一端側を持ち手とするとともに全体が伸縮可能に構成される棒体と、糞受け袋を着脱可能に装着することが可能な袋装着体とからなり、前記袋装着体が前記棒体の他端側に取り付けられてなることを特徴とする糞取り具を提供する。【０００７】  この考案の糞取り具は、非使用時には棒体を縮めた全体をコンパクトな状態とでき、使用に際しては棒体を伸ばして持ち手を持つことで立ったままの楽な姿勢において糞を糞受け袋に受けることができる。糞は糞受け袋を袋装着体から取り外しそのまま廃棄でき、糞受け袋を着脱使用することで袋装着体が汚れることもない。
【考案の効果】
【０００８】  この考案の糞取り具は、糞を取らない時には全体がコンパクトな状態とできるので散歩時の持ち運びが容易に行えるとともに、小さなスペースに収納できる利点がある。さらに、使用に際してしては飼い主は立ったままの楽な姿勢にで糞を取ることができる上に、糞は糞受け袋を袋装着体から取り外すことでそのまま廃棄でき、袋装着体の清掃も必要ないのできわめて便利に使用できる利点がある。
【考案を実施するための最良の形態】
【０００９】  図１はこの考案の糞取り具の実施形態の外観斜視図、図２は使用状態を示す斜視図である。【００１０】  糞取り具１はその全体がプラスチックス製で、上端側を持ち手２１とする棒体２と、その下端側に取り付けられる袋装着体３とからなる。【００１１】  上記棒体２は３本のパイプ片２２ａ、２２ｂ、２２ｃとパイプ片２２ａの上端に取り付けられるキャップ２３とからなり、パイプ片２２ａの上部及びキャップ２３部分が持ち手２１となる。パイプ片２２ａはパイプ片２２ｂに比して、パイプ片２２ｂはパイプ片２２ｃに比してそれぞれ内径が少し太く形成され、かつ、それぞれのパイプ片２２ａ、２２ｂ、２２ｃは下方にいくに従って細くなるように形成されている。【００１２】  このような構成により、図１に示す使用しない状態ではパイプ片２２ｂ、２２ｃのそれぞれは重なった状態でパイプ片２２ａ内に収められ、かつ、図２に示す使用時にはパイプ片２２ｂ、２２ｃのそれぞれはパイプ片２２ａから連接する状態で引き出されることが可能で、このようにして棒体２は全体が伸縮可能な構成とされている。【００１３】  袋装着体３は円形環状の基体３１と、その基体３１の上内周縁に沿って着脱可能に嵌設される糞受け袋５の押さえ枠３２とからなる。基体３１の一方側の外周部には連結部３４が一体に突出形成され、この連結部３４に上記パイプ片２２ｃの下端が差し込み固定されることで棒体１が連結される。連結部３４の上面には凹み部３５が形成され、押さえ枠３２の取り付けられた際にその凹み部３５に相対する位置には取り外しの際に指をかける指かけ部３６が一体に突出形成されている。【００１４】  以下、上記糞取り具１の使用について説明する。使用しないで家に置いておく場合は、図１に示す棒体２を縮めた状態として収納する。また、犬の散歩に際しても、棒体１を縮めた状態として持ち歩き、犬の脱糞時に棒体１を伸ばして使用する。【００１５】  図３は糞受け袋５の取り付け構成の説明断面図で、透明樹脂フィルムよりなる糞受け袋５を、散歩の開始に際して押さえ枠３２を外し糞受け袋５の上縁を基体３１の上縁に沿って位置させ、その状態において上方から押さえ枠３２を基体３１内に嵌め込むことで装着するもので、糞受け袋５はその上縁が基体３１と押さえ枠３２とに挟持されて袋装着体３に保持される。【００１６】  犬の脱糞に際しては、飼い主は立ったままの状態において、図２に示すように、持ち手２１部分を持って犬の脱糞高さに糞受け袋５を位置させて糞を受ける。脱糞が終了した時点において指かけ部３６に指をかけて押さえ枠３２を外して糞受け袋５を取り外し、その後は棒体２を縮めた状態として持ち歩く。【００１７】  上記のように、上記糞取り具１によれば、まず、糞を取らない際には棒体２を縮めたコンパクトな状態とできることで、収納スペースを取らず、また、散歩時の持ち歩きが容易に行なえる。さらに、犬の脱糞時に飼い主は立ったままの楽な姿勢において糞を糞受け袋５に受けることができる。くわえて、その後の処理においても、糞は糞受け袋５を袋装着体３から取り外しそのまま廃棄でき、袋装着体３も汚れることがないので清掃等の手間がかからず、非常に便利に使用できる。
【図面の簡単な説明】
【図１】この考案の糞取り具の実施形態の非使用時の外観斜視図
【図２】この考案の糞取り具の実施形態の使用状態を示す斜視図
【図３】この考案の糞取り具の実施形態の糞受け袋の取り付け構造の説明断面図
【符号の説明】
１    糞取り具
２    棒体
３    袋装着体
５    糞受け袋
２１  持ち手
３１  基体
３２  糞受け袋
【図１】
0003123282.tif 000003
【図２】
0003123282.tif 000004
【図３】
0003123282.tif 000005
(57)【要約】      （修正有）【課題】慣性他励パルス集電装置に自然エネルギーを効率よく利用することができる遠心バネ錘円板を提供する。【解決手段】直径２００ｍｍ厚さ２０ｍｍの錘円板内部を切抜き構成であり、円板の左右、上下対角に４個からなる錘をスプリングを介して取付けたもので之を２個モーターの電機子両端に取付けて１組である。遠心バネ錘円板は直径のサイズ錘の重量スライド面等々性能は更に向上すべき要因をはらんでいる。各部品の形状をはじめ重量回転域に依る最大効率追求のためそれに対応するバネの圧縮強度や復帰した時の延びの長さの研究と慣性モーメントの設定が出来る様な実測試験など数字的に解明されたら更に当該遠心バネ錘円板の性能は向上する。【選択図】図２
0003123285.tif 000002
【実用新案登録請求の範囲】
【請求項１】
直流モーターをパルス状電圧の発電機として利用するので円板だけより円板内を加工して遠心バネ錘円板を作成し電機子軸両端に取りつけ発電効率を上げる目的のものであるから直径２００ｍｍ厚さ２０ｍｍ重さ５ｋｇ程の鉄円板内部に溝を設け溝を錘の滑るガイドに利用し遠心力を利用して圧縮させたりスプリングの力で戻したりし乍ら円板の慣性モーメントを増減させるものである。２個で１組として使用する。
錘は円板１個につき４個なのでそのガイド用溝も４個所となるのでスプリングも４個必要となる。回転数が３，５００ｒｐｍともなれば錘の遠心力は２００ｋｇ強になりスプリングは之に対応する圧縮強度をたもつ必要がある。
【請求項２】
遠心バネ錘円板の溝、錘、スプリングは８個のものも使用する。
【考案の詳細な説明】
【技術分野】
【０００１】
本考案は直流モーターをパルス状発電に供する事に関する。
【背景技術】
【０００２】
錘など円板を回転させると１／２Ｉω２の機械的エネルギーを生ずる。但しＩ；慣性モーメントでω；角速度である。
【０００３】
円板そのままと円板に加工したものとでは慣性モーメント一定と慣性モーメントを最小と最大に変動させ得るので装置の効率が遠心バネ錘円板を用いるのである。
【０００４】
起動時は慣性モーメントを最小にして入力電力量を小にし発電時には慣性モーメントを最大にして発電電力量を大にするものである。
【考案の開示】
【考案が解決しようとする課題】
【０００５】
慣性他励パルス集電装置に自然エネルギーを効率よく利用する目的で鉄円板を当該円板で実施するが、これは又、数種類の製作が出来るものである。
【課題を解決するための手段】
【０００６】
本考案は直径２００ｍｍ厚さ２０ｍｍの錘円板内部を切抜き図１の如き構成である。これは円板の左右、上下対角に４個からなる錘をスプリングを介して取付けたもので之を２個モーターの電機子両端に取付けて１組である。
【考案の効果】
【０００７】
直流モーターでパルス状発電をして蓄電池又はキャパシターに受け止め充電する為には円板だけのものより本考案の如く円板を加工して錘とスプリングとを組み込んだ構成の遠心バネ錘円板を利用すれば、起動の場合の電力量は小さく発電の場合、錘が中心に寄って来るので発電に必要な回転数が秒単位で永く維持させる事が出来る。
即ち起動時の入力は回転モーメントＴ＝Ｉβに於いてＩ；慣性モーメントβ；角加速度とすればＩが小さいのでその角加速度βは大となって所要の３，５００ｒｐｍに達する時間も短くなり従って起動電力量が少なくて済む。
回転数が３，５００ｒｐｍになると電源が切れて発電態勢になるがその時には円板の錘は４個共広がってその回転半径は大となっており錘の遠心力Ｆ＝ｍｒω２に於てｍ；質量、ω；角速度、ｒ；錘の回転半径とすれば発電に依ってＦは漸次小さくなるがｒも小さくなるのでω２は秒単位で長くなる。
依って起動入力は小で発電出力は大となる結果発電効率を高める事が出来るのである。
【考案を実施するための最良の形態】
【０００８】
電機子軸両端に遠心バネ錘円板５ｋｇ×２個を取付け３ｍｍ鉄板で安全対策のため当該円板を覆うものである。
【図面の簡単な説明】
【０００９】
【図１】１は円板で２は円板の切り抜き部分でそこを４の錘がスライドして動く様になっている。又４の中には６のスプリングが７のスプリング留金具を介して取付けられる。又５の点線部スプリングは４を貫通している事を示す遠心バネ錘円板構成図。
【図２】遠心バネ錘円板の電機子軸への装着要領図。
【符号の説明】
【００１０】
１  直径２００ｍｍ厚さ２０ｍｍ円鉄板
２  円板内切抜部
３  電機子軸への取付穴
４  錘
５  内設部スプリング
６  露出部スプリング
７  スプリング留金具
８  留金具締付ビス
９  錘立面図
【図１】
0003123285.tif 000003
【図２】
0003123285.tif 000004
【手続補正書】
【提出日】平成18年5月10日(2006.5.10)
【手続補正１】
【補正対象書類名】実用新案登録請求の範囲
【補正対象項目名】全文
【補正方法】変更
【補正の内容】
【実用新案登録請求の範囲】
【請求項１】
直流モーターをパルス状電圧の発電機として利用するので円板だけより円板内を加工して遠心バネ錘円板を作成し電機子軸両端に取りつけ発電効率を上げるもので円板の左右、上下対角の４箇所の円板内部を切抜き、この円板内切抜部に錘をスプリングを介して取付け、之を２個モーターの電機子両端に取付けて１組とした遠心バネ錘円板。
(57)【要約】      （修正有）【課題】将棋の初心者の棋力向上を目的とする。【解決手段】本考案は将棋プログラムをインプットしたコンピューター将棋盤であり、将棋盤のマス目にアドバイスのランプを点灯させる物である。【選択図】図１
0003123290.tif 000002
【実用新案登録請求の範囲】
【請求項１】
コンピューターを内蔵した将棋盤のマス目に駒を進める為のアドバイスのランプや、ゲーム性を増すラッキーランプが点灯する事を特徴とする将棋盤。
【考案の詳細な説明】
【技術分野】
【０００１】本考案は将棋盤の中にコンピューターを内蔵したものである。
【考案の開示】
【考案が解決しようとする課題】
【０００２】将棋の初心者が上級者と対戦する場合に、ハンデとして駒の進め先を何ヶ所かのマス目にランプを点して示す。
【課題を解決するための手段】
【０００３】本考案は、将棋盤にコンピュータープログラムを内蔵したものである。
【考案の効果】
【０００４】上述の様に本考案の将棋盤はマス目にアドバイスランプを点す事により初心者の棋力を向上さす事が出来る。
【考案を実施する為の最良の形態】
【０００５】将棋駒全体をコンピューターが感知するものである。
【実施例】
【０００６】以下添付図面に従って説明する。１は透明プラスチックの将棋駒。２はマス目が点灯する将棋盤。３は将棋のプログラムソフトを持つコンピューター。４はプログラムを操作するキーボード。
【産業上の利用可能性】
【０００７】将棋の初心者をアドバイスランプの助けを利用して棋力を向上さす事が出来、将棋人口を増やすことが可能である。
【図面の簡単な説明】
【０００８】
【図１】  本考案のコンピューターを内蔵した形態を示す。
【図２】  本考案の将棋盤を分解したものである。
【符号の説明】
１  将棋駒
２  将棋盤
３  コンピューター
４  キーボード
【図１】
0003123290.tif 000003
【図２】
0003123290.tif 000004
(57)【要約】【課題】  金属製バンドの結束時の、強い締引力と安全性の高い工具を提案した。【解決手段】  主にペンチ型の工具により、ペンチ体柄部１、２を握ると、ペンチ体先端３、４が広がり、先端部５、６をバンドＡとバンドの止め金部Ｂにかけ、先端３、４を広げることにより、バンドＡは巻きつき、しっかり固定される。【選択図】図５
0003123281.tif 000002
【実用新案登録請求の範囲】
【請求項１】
金属製バンドを安全に、簡単で、強力に結束出来る様に、ペンチ型の工具のしくみを反対にし、その広がる力を活用した、金属製バンド結束工具。
【考案の詳細な説明】
【技術分野】
【０００１】  本考案は、金属製バンドを用いて結束する際の、結束方法と、その結束工具の改良に関するものである。
【背景技術】
【０００２】  従来の作業手順では、バンドをマイナスドライバーで押さえてから、ペンチで引張り、結束させていた。このような結束方法では、バンドを強く締付けられないため、不完全であった。
【考案の開示】
【考案が解決しようとする課題】
【０００３】  このような問題点は、締付けが不充分であり、バンドが金属製であるため、ケガをする事もあり、安全性にも問題があり、不都合な使用状態であった。
【課題を解決するための手段】
【０００４】  本考案は、上記の目的を達成するために、次のような手段を用いて対処した。
図１に示すように、てこの原理を応用したペンチ型の工具で、ペンチ体柄部１、２を握ると、先端３、４が広がるようにし、先端部５、６にはツメ型を形成。
そして、図５、図６に示す通りに先端部５、６を、バンドＡとバンドの止め金部Ｂかけ、先端３、４を広げることにより、バンドＡは巻き取られ、強く固定できる。
【考案の効果】
【０００５】  このように本考案の工具を用いれば、簡単に出来、締引力も強く、便利で安全であり、結束後の固定も容易に出来、緩むことも無くなる。従来の結束方法においては、マイナスドライバーで押さえ、ペンチで締付けて結束していたため、バンドを強く締付けられず苦悩していた。
【考案を実施するための最良の形態】
【０００６】  本考案の結束工具の好適な実施態様を図面によって詳しく説明する。まず、図３では、先端部５、６内には、三角状の溝を設け、結束バンドの止め金部Ｂに確実に固定出来るようにする。そして、図２では、左右どちらからでも使用出来るように、先端部５、６は、中心より外側に設ける。  図１では、バンド結束後の余剰バンドの切断用カッター７が構成されている
【実施例】
【０００７】  次に、図１、図５、図６を参照にしながら、本考案の結束工具の結束方法を簡単に説明する。まず、ペンチ体柄部１、２を握ると、ペンチ体先端３、４が広がり、先端部５、６をバンドＡとバンドの止め金部Ｂにかけ、先端３、４を広げることにより、バンドＡは巻きつき固定される。
【産業上の利用可能性】
【０００８】  本考案は、金属製バンドを用いて、鉄パイプや自動車部品のドライブシャフトブーツ等の結束工具として、幅広く利用する可能性がある。
【図面の簡単な説明】
【０００９】
【図１】本考案の結束工具の正面図である。
【図２】本考案の結束工具の側面図である。
【図３】本考案の結束工具先端部の上面図である。
【図４】本考案の結束工具の斜面図である。
【図５】本考案の結束工具を使用する状態をあらわす全体図である。
【図６】本考案の結束工具で被結束物を結束した状態をあらわす全体図である。
【符号の説明】
【０００１０】１  ペンチ体柄部
２  ペンチ体柄部
３  ペンチ体先端
４  ペンチ体先端
５  ペンチ体先端部
６  ペンチ体先端部
７  カッター
Ａ  金属製バンド
Ｂ  金属製バンドの止め金部
Ｃ  金属製バンド先端部
Ｚ  被結束物の断面
【図１】
0003123281.tif 000003
【図２】
0003123281.tif 000004
【図３】
0003123281.tif 000005
【図４】
0003123281.tif 000006
【図５】
0003123281.tif 000007
【図６】
0003123281.tif 000008
【手続補正書】
【提出日】平成18年5月10日(2006.5.10)
【手続補正１】
【補正対象書類名】実用新案登録請求の範囲
【補正対象項目名】全文
【補正方法】変更
【補正の内容】
【実用新案登録請求の範囲】
【請求項１】
ペンチ体柄部、ペンチ体先端、及び当該ペンチ体先端から外向横手方向に突出した先端部を有する一対のペンチ体部材を当該ペンチ体先端で回動自在に結合した金属製バンド結束工具であって、前記ペンチ体柄部を互いに近接させると前記ペンチ体先端がその先端部を広げる方向に作動することを特徴とする金属製バンド結束工具。
(57)【要約】【課題】  表彰板、レリーフ板を従来のものより記念性を高めるもの。【解決手段】  利用者の記念物等をカプセルに収納し、そのカプセルを透明アクリル製のポケットへ収納して、表彰板、レリーフ板のパーツとしてその裏面にカプセルポケットを貼り付け、財物の保存性を高めると同時に記念性を高める。【選択図】図２
0003123288.tif 000002
【実用新案登録請求の範囲】
【請求項１】
利用者の記念品および雑貨等をカプセルに収納し、そのカプセルを透明アクリル製のポケットへ収納して、表彰板、レリーフ板のパーツとしてその表面および裏面に貼り付け、財物の保存性を高めると同時に記念性を高めるものであることを特徴とする。
【考案の詳細な説明】
【技術分野】
【０００１】  本考案は、表彰板、レリーフ板、トロフィーのパーツなどの記念品に関するものである。
【背景技術】
【０００２】  表彰板、レリーフ板、トロフィーの記念品を製作する業界は、全東京記章商工組合などを形成している。
【考案の開示】
【考案が解決しようとする課題】
【０００３】表彰板、レリーフ板には、従来記念物を簡単に保存・飾りたいという願望があったが、手軽で安価な方策が見つからなかった。
本考案は、表彰板、レリーフ板などの記念品にかかわり、透明アクリル製により付随記念物の保存を安価に実現でき、保存・飾りたいという願望に一致するものである。
【問題を解決するための手段】
【０００４】利用者の記念物等をカプセルに収納し、そのカプセルを透明アクリル製のポケットへ収納して、表彰板、レリーフ板のパーツとしてその表面および裏面にカプセルポケットを貼り付け、財物の保存性を高めると同時に記念性を高めるものである。
【考案の効果】
【０００５】  本考案のカプセルポケットは、次のような効果がある。
１．表彰板、レリーフ板の内容に副った記念物等の財物が同時に飾られる。
２．表彰板、レリーフ板の内容説明に記念物が重要効果をもたらす。
３．１個でも多数製作する場合と同一単価でできる。
４．一人一人の願望に答えられる。
５．一人一人のオリジナル製品となる。
【考案を実施するための最良の形態】
【０００６】  以下、本考案の一実施形態について図面を参照しつつ説明する。図１は本考案にかかるカプセルポケットの平面図と断面図である。Ａ面に両面テープが貼付されているので、テープ紙を剥がしレリーフなどの表面および裏面の平らな部分へ貼り付ける。完成図が図２となる。
【図面の簡単な説明】
【０００７】
【図１】  本考案の平面図と断面図である。
【図２】  本考案をレリーフなどに貼付された完成図である。
【符号の説明】
【０００８】  １．カプセルポケット
２．レリーフ
３．両面テープ
【図１】
0003123288.tif 000003
【図２】
0003123288.tif 000004
【手続補正書】
【提出日】平成18年4月10日(2006.4.10)
【手続補正１】
【補正対象書類名】実用新案登録請求の範囲
【補正対象項目名】請求項１
【補正方法】変更
【補正の内容】
【請求項１】
表彰板、レリーフ板のパーツとしてその表面および裏面にポケットを貼り付け、そのポケットに利用者の記念品および雑貨等を収納し、財物の保存性を高めると同時に記念性を高めるものであることを特徴とするカプセルポケット。
(57)【要約】【課題】    本考案はストラップのベルト部分を伸縮自在の蛇腹形状にし、ストラップ不要時にベルト部分が自動的に短縮することで、汚れたり邪魔になることを防ぐ。【解決手段】  本考案はストラップのベルト本体１を、ステッチ２により蛇腹形状の襞を形成維持させるようにし、伸縮性ゴム紐３によりストラップ加重時には、ゴム紐の伸展によりベルト本体の襞を開放しベルト本体の長さを最大にし、且つストラップから加重を除いた場合にはゴム紐の収縮力により襞相互の間隔を縮小させベルト本体の長さを最小にすることにより、ストラップを使用しない場合に、ストラップが長すぎて邪魔になったり汚れたりするのを防ぐのに役立つ。【選択図】図１
0003123287.tif 000002
【実用新案登録請求の範囲】
【請求項１】
ストラップのベルト部分を蛇腹状に交互に折り畳み縫合し伸縮性のあるゴム紐を装着、ストラップを肩掛け使用時には折り畳んだ蛇腹部分が伸張し適切な長さで肩から鞄を吊るすことができ、不使用時はゴム紐の反発により縫合した形状に収縮復元する伸縮自在の鞄用肩掛けストラップ
【考案の詳細な説明】
【技術分野】
【０００１】  本考案は、ベルト部分を蛇腹状に縫合し伸縮性のあるゴム紐を取り付けたカバンのストラップに関するものである。
【背景技術】
【０００２】  カバンのストラップは、それを肩から外しハンドルでカバンを提げた場合、下に垂れて地面を擦ったりする。また、電車やオフィスで床に置いた場合も床に擦ったり邪魔になったりしストラップ自体が汚れる。ストラップは付属のフックにより着脱は可能だが頻度が高く、いちいち着脱するのが面倒なため、そのままになっている。
【考案の開示】
【考案が解決しようする課題】
【０００３】  ビジネスマンがカバンを持ち歩く機会が増え、且つパソコンやカタログなどの内容物も嵩と過重の懸かるものが増え、肩掛けストラップの使用頻度は増大し、それを汚したり邪魔にならないための着脱必要頻度も増大している。従って、ストラップをカバンに装着したまま、ストラップ自体のベルト長を調整することで前述の問題点を解決しようとするものである。
【課題を解決するための手段】
【０００４】  本考案は、ストラップのベルト部分を独自の伸縮性のある蛇腹形状にすることで不使用時のストラップを短く維持し、一方、使用時に蛇腹状ベルト部分が伸展することで、カバンを懸架するに足る強度と長さになるという独自のストラップの伸縮自在機能により問題点を解決している。
【考案の効果】
【０００５】  本考案ストラップは、単純に強度の高いゴム素材ベルト仕様のストラップとは異なり蛇腹形状の布ベルト部分に荷重強度を依存しており、頻度による耐用性は前者より高く、蛇腹形状によるベルト長の伸縮度合いも優れている。
また、他方式によるストラップのベルト長の調整方法よりも単純簡便である。
カバン本体へのストラップの着脱が不要なため時間と手間が省け、ストラップが垂れて地面や床に擦れ汚れたりしない、動作の邪魔にならないなどの効果をあげる。
【考案を実施するための最良の形態】
【０００６】  ストラップ本体は、肩パッドを中心に両サイドのベルト部分と先端の着脱用尾錠の３部分で構成されている。布製ベルト部分は３．５ｃｍ幅で交互に襞状に折り畳まれ裏側部分に伸縮機能のあるゴム紐が装着され、加重の無い平常時は蛇腹形状の維持と同時にベルト自体の長さを圧縮している。  カバンを吊るすなど加重を懸けると布ベルトの折り畳んだ襞部分が開き同時にゴム紐も伸張し、蛇腹形状は最大限伸展し平常時の約２倍の長さとなり、ストラップを肩にかけた場合カバンが丁度よい位置に収まる長さのストラップとなる。そして、肩からストラップを外し加重を除くとゴム紐の反発力により布ベルトの襞部分が閉じ、折り畳みが復元されることによりベルト自体の長さも元通り短く圧縮される。以上の繰り返しによりストラップは伸縮自在となる。
【実施例】
【０００７】  以下、添付図面に従って一実施例を説明する。１は強度のある布製で約３．５ｃｍ幅の折り畳み襞が左右についたベルト本体、２はベルト１の折り畳み襞の形態維持のために強度のある糸で山折りを外側から縫合したステッチ、３は伸縮機能のある表面布加工されたゴム製紐でベルト本体１の裏側左右両端に、山折り頂点部分を連繋して縫製されており畳んだ襞の開閉に作用することによりベルト長の制御をする。【０００８】  ４は前記ベルト本体を通した肩パッドで、着脱用尾錠５はカバン（図示せず）に装着される。【０００９】  着脱用尾錠５をカバンに装着し、肩パッド４を肩に懸けるとカバンの重量によりベルト本体１が引っ張られ折り畳まれた襞が開放しゴム紐３が伸展し、ベルトが最大の長さになる。肩よりストラップを外すとベルトへの加重がなくなることによりゴム紐３が反発収縮し、ベルトの襞が閉塞しベルト本体の長さは自動的に短縮する。
【図面の簡単な説明】
【００１０】
【図１】  本考案の伸縮自在ストラップの実施例を示す正面図である。
【図２】  本ストラップの側面図である。
【図３】  本ストラップの斜視図である。
【符号の説明】
【００１１】  １  ベルト本体
２  ステッチ（縫込み）
３  伸縮性ゴム紐
４  肩パッド
５  着脱用尾錠
【図１】
0003123287.tif 000003
【図２】
0003123287.tif 000004
【図３】
0003123287.tif 000005
【手続補正書】
【提出日】平成18年4月10日(2006.4.10)
【手続補正１】
【補正対象書類名】実用新案登録請求の範囲
【補正対象項目名】全文
【補正方法】変更
【補正の内容】
【実用新案登録請求の範囲】
【請求項１】
ストラップ本体の中央に設けられた肩パッド、この肩パッドの両端から伸びるベルト部分、このベルト部分を蛇腹状に交互に折りたたみ縫合したステッチ、このステッチのある山折り部分の両面または片面の山折り頂点部分を連繋する伸縮性ゴム紐からなる伸縮自在肩掛けストラップ
(57)【要約】【課題】  本考案は、風呂敷本体もしくは別素材に図解説明を加え、使用方法が解るようにする。【解決手段】  本考案は、風呂敷本体もしくは別素材に図解説明を付け加える事により、いろいろな包み方、結び方の使用方法が容易に解るようにする。【選択図】図１
0003123266.tif 000002
【実用新案登録請求の範囲】
【請求項１】
風呂敷の裏面もしくは、表面適所にいろいろな包み方、結び方の図解説明したものを直接書き描き、または、風呂敷に合わせた別素材に書き描き、プリントしたものを縫い付け、または、貼り合わせ、接合する事によりその使用方法が容易に解るようにすることを、特徴とする図解説明入り風呂敷。
【考案の詳細な説明】
【技術分野】
【０００１】  本考案は、風呂敷に係り、各種物体に対応できる包み方、結び方に関するものである。
【背景技術】
【０００２】  従来の風呂敷は各種物体の包み方、結び方を周知していれば良いが周知していない場合は、使用頻度が少ない。
【考案の開示】
【考案が解決しようとする課題】
【０００３】  従来の風呂敷は、表面は、無地又は柄物などで、持つ人の好みあるいは、使用目的に合わせて使用されているが、裏面は、表面の色彩、色柄などが透けて見えるにすぎず、また、市販の袋物などに比べると使用頻度が少なく、いろいろな包み方、結び方などがあまり周知されていないので、風呂敷をもっと身近な利便性の有るものにする。
【課題を解決するための手段】
【０００４】  本考案は風呂敷の裏面もしくは表面適所にいろいろな包み方、結び方を図解説明したものを直接書き描き、または、風呂敷に合わせた別素材に書き描き、プリントしたものを縫い付け、または、貼り合わせ、接合する事によりその使用方法が容易に解るようにする。
【考案の効果】
【０００５】  一枚もしくは数枚の風呂敷で、包み込まれ、また、覆われる物体の大きさ、形にとらわれることなく、いろいろな包み方、結び方を風呂敷の裏面もしくは、表面適所に図解説明を加える事により、包み込まれ、覆われる物体の大きさ、形に応じた使用方法が出来、かつ、身近な収納、運搬、包装材としての、ファッション性、インテリア性、そして資源再利用の観点から内容物が無くなれば、折り畳んで収納できる多用途な風呂敷は、環境問題にも役立ち、より風呂敷の利便性が増す。
【考案を実施するための最良の形態】
【０００６】  一枚もしくは数枚の風呂敷で、包み込まれ又覆われる物体の大きさ、形にとらわれることなく、いろいろな包み方、結び方を風呂敷の裏面もしくは、表面適所に図解説明したものを直接書き描き、または、風呂敷に合わせた別素材に書き描き、プリントしたものを縫い付け、または、貼り合わせ、接合する事によりその使用方法が容易に解るようにする。風呂敷の使用方法の実施例として図面説明、図１は風呂敷の表面延長上で裏面になる縫い代部分に包み方、結び方の順序を図解説明したものを書き描いたもの。
図２は風呂敷の表面適所に包み方、結び方の順序を図解説明したものを書き描いたもの。
図３は風呂敷の表面各辺に包み方、結び方の順序を図解説明したものを書き描いたもの。
図４は風呂敷の裏面適所に包み方、結び方の順序を図解説明したものを書き描いたもの。
図５は風呂敷の裏面各辺に包み方、結び方の順序を図解説明したものを書き描いたもの。
図６は風呂敷の裏面適所に包み方、結び方の順序を図解説明したものを別素材に書き描き縫い合わせ又は、貼り合わせたもの。
【図面の簡単な説明】
【０００７】
【図１】本考案の実施の形態を示し、風呂敷の表面延長上の縫い代部分に図解説明を書き描きく説明図である。
【図２】本考案の実施の形態を示し、風呂敷の表面適所に図解説明を書き描く説明図である。
【図３】本考案の実施の形態を示し、風呂敷の表面各辺に図解説明を書き描く説明図である。
【図４】本考案の実施の形態を示し、風呂敷の裏面適所に図解説明を書き描く説明図である。
【図５】本考案の実施の形態を示し、風呂敷の裏面各辺に図解説明を書き描く説明図である。
【図６】本考案の実施の形態を示し、風呂敷の裏面適所に別素材に図解説明を書き描き接合する説明図である。
【符号の説明】
【０００８】１  風呂敷本体
２  図解説明
３  別素材
【図１】
0003123266.tif 000003
【図２】
0003123266.tif 000004
【図３】
0003123266.tif 000005
【図４】
0003123266.tif 000006
【図５】
0003123266.tif 000007
【図６】
0003123266.tif 000008
【手続補正書】
【提出日】平成18年3月31日(2006.3.31)
【手続補正１】
【補正対象書類名】実用新案登録請求の範囲
【補正対象項目名】全文
【補正方法】変更
【補正の内容】
【実用新案登録請求の範囲】
【請求項１】
風呂敷の縫い代部分あるいは隅に、風呂敷の包み方結び方の説明図を表示し、または風呂敷にあわせた別素材に包み方結び方の説明図を表示したものを風呂敷に接合することにより、その使用方法が容易にわかるようにすることを特徴とする図解説明入り風呂敷。